(57)【要約】【課題】  きわめて簡単な作業で照明器具を取り付けてあった状態のままで安全に搬送することが可能な天井付け照明器具用の搬送箱を提供する。【解決手段】  頂端に天井に設置されている接続具に接続するための被接続具２１を有する天井付けの照明器具２の搬送箱１であって、少なくとも側壁または頂壁の一部または全部が開閉可能で且つ照明器具２を収容可能な空間部５を有するとともに、内部には空間部５の上部に照明器具２における被接続具２１の離脱可能な接続部４を備えた固定部材３を有するものとした。【選択図】図１
2008265841.tif 000002
【特許請求の範囲】
【請求項１】
頂端に天井に設置されている接続具に接続するための被接続具を有する天井付けの照明器具の搬送箱であって、少なくとも側壁または頂壁の一部または全部が開閉可能で且つ前記照明器具を収容可能な空間部を有するとともに、内部には前記空間部の上部に前記照明器具における被接続部の離脱可能な接続部を備えた固定部材を有していることを特徴とする天井付け照明器具用の搬送箱。
【請求項２】
前記固定部材が搬送箱を形成する互いに対向する側壁間に架設されている支持部材である請求項１記載の天井付け照明器具用の搬送箱。
【請求項３】
前記固定部材が搬送箱の側壁に形成した開口部を挟む両側壁に互いに対向して配置される差込棚に挿脱可能な板材からなる請求項１記載の天井付け照明器具用の搬送箱。
【請求項４】
前記差込棚が複数段形成されている請求項３記載の天井付け照明器具用の搬送箱。
【請求項５】
前記固定部が前記搬送箱の少なくとも対向する側壁の内面における同一高さ位置に配置した係止突起に設置可能に搬送箱の頂面に形成した開口部から挿脱可能に差し込まれる板材からなる請求項１記載の天井付け照明器具用の搬送箱。
【請求項６】
前記固定部が前記搬送箱の蓋体を兼ねる頂壁であり、前記頂壁に照明器具が吊設される請求項１記載の天井付け照明器具用の搬送箱。
【請求項７】
前記接続部が前記照明器具の被接続部を係止する係止溝である請求項１，２，３，４，５または６記載の天井付け照明器具用の搬送箱。
【請求項８】
前記接続部が前記固定部材の底面に備えられた前記照明器具の被接続部を天井に取り付けるための接続具と同様の係止機能を有する請求項１，２，３，４，５，６または７記載の天井付け照明器具用の搬送箱。
【請求項９】
前記搬送箱の側壁および底壁の内面の少なくとも一部に緩衝材が配置される請求項１，２，３，４，５，６，７または８記載の天井付け照明器具用の搬送箱。
【発明の詳細な説明】
【技術分野】
【０００１】
本発明は、天井付け照明器具用の搬送箱に関するものであり、例えば引越で照明器具を運ぶ場合などに用いられる搬送箱に関するものである。
【背景技術】
【０００２】
従来、天井付け照明器具は電球（蛍光灯）や薄い合成樹脂などの透過性の材質により形成される傘など脆弱な部品やスイッチや調光器など精密な部品を用いていることから運搬時に損傷し易いことから、照明器具を搬送するにはきわめて厳重な梱包が必要である。
【０００３】
そのため、通常は、例えば特開２０００−２１９２７１号公報に提示されているように、照明器具を電球（蛍光灯）と、傘などと、スイッチや調光器などの電気部品に分解した状態でそれぞれ型状の緩衝材を用いて段ボールなどにより形成される搬送箱に詰めた状態で販売店に搬送されている。
【０００４】
従って、購入者は取付時に梱包を解いて取り出した各部品を組み立てて天井などに吊設することにより室内に取り付けることになる。
【０００５】
ところで、近頃、前記室内に取り付けた照明器具も多様化して使用者にとって好みのデザインや性能のものを選択することが可能となってきたことから、例えば引越の時などには家具等と一緒に新居に移送して使用するようになってきている。
【０００６】
しかしながら、通常、購入時に梱包されている空の搬送箱は嵩張ることから長年に亘って保管しておくことはないのが普通であり、通常は外した照明器具を引越用の搬送箱に収容することになるが、一般に照明器具は取り外すと電球（蛍光灯）と、傘などと、スイッチや調光器などの電気部品に分解し易いことから、これらの部品毎に梱包して搬送箱に収容する必要がある。
【０００７】
また、前述の如く前記照明器具を構成する部品は損傷し易いので例えば充分な緩衝作用を発揮可能な緩衝材でくるんでから搬送箱に収容する必要があり、手間と経費がかかるばかりか、引っ越し先で再び各部品を組立直して取り付ける必要があり、きわめて不便でもある。
【特許文献１】特開２０００−２１９２７１号公報
【発明の開示】
【発明が解決しようとする課題】
【０００８】
本発明は、上記のような問題点を解決しようとするものであり、きわめて簡単な作業で照明器具を取り付けてあった状態のままで安全に搬送することが可能な天井付け照明器具用の搬送箱を提供することを課題とするものである。
【課題を解決するための手段】
【０００９】
前記課題を解決するためになされた本発明は、頂端に天井に設置されている接続具に接続するための被接続具を有する天井付けの照明器具の搬送箱であって、少なくとも側壁または頂壁の一部または全部が開閉可能で且つ前記照明器具を収容可能な空間部を有するとともに、内部には前記空間部の上部に前記照明器具における被接続部の離脱可能な接続部を備えた固定部材を有していることを特徴とする。
【００１０】
本発明は、搬送箱内部に形成される空間部に収容されるととともに前記空間部の上部に配置される固定部材の接続部に接続することにより、天井に取り付けてあったままの状態で搬送箱に収容することが可能であり、また、搬送先で前記接続部から取り出したままの状態で天井にそのまま設置することが可能であり、きわめて作業効率がよい。
【００１１】
また、前記固定部材が搬送箱を形成する互いに対向する側壁間に架設されている支持部材である場合には耐荷重性に優れており、また、支持部材が着脱自在の場合には照明器具を支持部材に支持させた状態で搬送箱に挿入したり取り出したりすることが可能であり、作業性に優れている。
【００１２】
前記固定部材が搬送箱の側壁に形成した開口部を挟む両側壁に互いに対向して配置される差込棚に挿脱可能な板材からなる場合には搬送箱の側壁の１つを開閉可能にすればよく、搬送箱の構成も複雑でなく、強度的にも優れており、特に前記差込棚を複数段設けた場合には、照明器具の長さに合わせて差込棚を選択して使用することができるばかりか１つの搬送箱に複数個の照明器具を同時に収容することが可能であり、きわめて効率のよい搬送作業をすることができる。
【００１３】
さらに、前記固定部が前記搬送箱の少なくとも対向する側壁の内面における同一高さ位置に配置した係止突起に設置可能に搬送箱の頂面に形成した開口部から挿脱可能に差し込まれる板材からなる場合には搬送箱の頂面から照明器具を挿脱可能であり、引越などのように床面に荷物や搬送箱が並設していて横方向にスペースがない場合にも容易に作業が行え、前記固定部が前記搬送箱の蓋体を兼ねる頂壁である場合には通常の搬送箱をそのまま利用することができるので安価に提供することができる。
【００１４】
また、前記接続部が前記照明器具の被接続部を係止する係止溝である場合には被接続部を係止溝に挿脱することにより別途に特別な接続部材を必要とせず生産性並びに製品管理の面からも有効である。
【００１５】
さらにまた、前記接続部が前記固定部材の底面に備えられた前記照明器具の被接続部を接続するための天井に取り付ける接続具と同様の機能を有するものである場合には、天井に設置する場合と同様の手順できわめて簡単に接続或いは離脱作業ができるとともに近頃、多用されてきている天井に直に取り付けるシーリング型の照明器具にも対応可能である。
【００１６】
加えて、前記搬送箱の側壁および底壁の内面の少なくとも一部に緩衝材が配置される場合には、搬送中に収容している照明器具の揺れを防止して側壁への接触を防止し、また、万一、接続が切れて照明器具が落下したとしても損傷するのを防止することができる。
【発明の効果】
【００１７】
本発明によれば、従来、引越のときなど一旦、天井等に設置した照明器具をきわめて簡単に且つ損傷させることなく搬送が可能であるばかりか、照明器具自体も分解や再組立の手間がいらず取り付けてあったと同じ状態で搬送可能であり、きわめて便利である。
【発明を実施するための最良の形態】
【００１８】
以下に、図面を参照しながら本発明を実施するための最良の形態を説明する。
【００１９】
図１は、例えば図示した天井から吊り下げる型の天井付け照明器具２に用いられる搬送箱１についての実施の形態の一例を示すものであり、図１（Ａ）に示すように、被搬送物である照明器具２は上端に天井に備えられている接続具（図示せず）に接続するために一般に用いられている硬質の合成樹脂製によりほぼＴ字形に形成された被接続具２１の下方に蛍光灯２２などの照明具２３を保持するともにスイッチや各種の電気部品を収容した調光部２３が接続コードを介し連結されており、前記調光部２３に透光性を有する傘が支持されているきわめて一般的なものである。
【００２０】
そして、前記照明器具２を収容する搬送箱１は例えば、従来、引越や運搬になどにおいて一般に用いられているものと同様に、紙や硬質の合成樹脂板などを原料として形成される所謂段ボールにより全体が方形の箱形を呈しており、頂壁が中央において前方の頂壁１ａと後方の頂壁１ｂとに分割されているとともにこれらの前方の頂壁１１ａと後方の頂壁１１ｂはそれぞれ連接される前方および後方の側壁１２ａ，１２ｂに開閉可能に形成されており、特に、前方の側壁１２ａが開閉部が１３ａが下方に配置されており、図１（Ｂ）に示すように前方の頂壁１１ａと前方の側壁１２ａを開放すると前記照明器具２を上端に備えた被接続具２１を掴んだ状態で横方向に挿脱可能な大きさを有する開口部１４が形成される。
【００２１】
また、搬送箱１は非開放側の側壁１２ｃ，１２ｄの中央上部に架設された支持部材からなる固定部材３が架設されている。この固定部材３には図２に示すように、中央部に前記照明器具２のＴ字形に形成された被接続具２１が嵌挿、貫通可能な嵌挿孔４１ａが形成されているとともに頂面４１ｂに前記嵌挿孔４１ａと同心で直交する前記被接続具２１の嵌挿溝４１ｃにより被接続部２１の離脱可能な接続部を備えた固定部材４１を有している。
【００２２】
さらに、搬送箱１は前記固定部材３の下方に前記照明器具２を吊設した状態で収容可能な空間部５を有している。
【００２３】
尚、図面中、符号６１は開閉部を閉じておくための釦状の係着具、６２は面状の係着具、６３は搬送箱１を形成する側壁１２ａ，１２ｂ，１２ｃ，１２ｄおよび底壁１５の内面に配設された多数の空気突起状の緩衝部材である。
【００２４】
このような本実施の形態を使用するには、搬送箱１を照明器具２が設置された天井の下方に配置して図１（Ａ）に示すように、頂壁１１ａと前方の側壁１２ｂとを開放した状態で天井に吊設してある照明器具２を天井に設置されている接続部（図示せず）から取り外し、そのＴ字形に形成された被接続具２１を掴んで前記搬送箱１に形成されている嵌挿孔４１ａから空間部５に収容するとともに、図２（Ｂ）に示すように、被接続具２１を下側から嵌挿孔４１ａに貫通させ、図２（Ｃ）に示すように横方向に９０度回転させて下方に移動させて嵌挿溝４１ｃに嵌挿させることにより被接続具２１を固定部材３に接続して固定部材３に吊設状態で収容し、次いで前記頂壁１１ａと前方の側壁１２ｂを閉じて係着具６１，６２を用いて固定し、他の搬送物と一緒に通常の手段により搬送する。
【００２５】
このように本実施の形態によれば、従来のように、天井に吊設してある照明器具２を分解してそれぞれ緩衝材で包んで搬送箱に収容することなく、外しただけで収容して搬送可能であり、きわめて簡単に且つ短時間に搬送作業を行うことができる。
【００２６】
尚、搬送する照明器具２は通常コード２４の部分の長さを使用する環境に応じて調節してあるのが普通であり、収容する搬送箱１の高さに対応できない程に長い場合にはコード２４の一部を巻回して輪ゴムやクリップで止めることにより収容箱１に合わせた長さに調節することができるので高さの異なる搬送箱１を用意することもない。
【００２７】
また、収納は図３に示すように、搬送箱１内に使用時と同じく吊設した状態で収容されているため無理な力が作用することなくきわめて安定した状態で搬送することができ、また、搬送時に搬送箱１が傾いても照明器具２は垂直な状態を維持するので内部で分解したりすることもない。特に、本実施の形態では被接続具２１を貫通する嵌挿孔４１ａを固定部材３の長さ方向に沿って長辺が沿うように形成したので幅方向の空所が少なくてすむことから吊り下げ強度が低下する心配もない。
【００２８】
さらに、本実施の形態では搬送箱１の内面には緩衝部材６３が配置されているので照明器具２が衝ったとしても損傷する心配がなく、特に底壁１５にも緩衝部材６３が配置されているので、万一、照明器具２が落下しても心配ない。
【００２９】
そして、引越先などの搬送先に到着したならば、収容時とは逆の操作、即ち、このような本実施の形態を使用するには、搬送箱１を照明器具２が設置された天井の下方に配置して図１（Ａ）に示すように、頂壁１１ａと前方の側壁１２ｂとを開放した状態で天井に吊設してある照明器具２を天井に設置されている接続部（図示せず）から取り外し、そのＴ字形に形成された被接続具２１を掴んで前記搬送箱１に形成されている嵌挿孔４１ａから空間部５に収容するとともに、図２（ｂ）に示すように、被接続具２１を下側から嵌挿孔４１ａに貫通させ、図２（ｃ）に示すように水平方向に９０度回転させるとともに下方に移動させて嵌挿溝４１ｃに嵌挿させることにより被接続具２１を固定部材３に接続して固定部材３に吊設状態で収容し、次いで前記頂壁１１ａと前方の側壁１２ｂを閉じて係着具６１，６２を用いて固定し、他の搬送物と一緒に通常の手段により搬送する。搬送後、前方の頂壁１１ａと前方の側壁１２ａを開放し、前記配線器具２を前記と逆の操作により固定部材３から被接続具２１を掴んで吊設した状態で取り外し、そのまま、新たな取付場所である天井に設置されている接続部（図示せず）に通常の手段により取り付ければよい。
【００３０】
尚、本実施の形態では固定部材３に形成した嵌挿孔４１ａは上下方向に貫通させる構成であるが、横方向から差込可能な差込溝を形成し（図示せず）、側方向に形成した差込口から挿入するものであってもよい。また、本実施の形態では固定部材３に被接続具２１を嵌挿させておく嵌挿溝４１ｃを形成してあることからきわめて安定した状態で照明器具２を吊設することができるが、本発明では被接続具２１を固定部材３に着脱自在に固定すればよく嵌挿溝４１ｃは必ずしも必要ではない。
【００３１】
また、本実施の形態では固定部材３は木材や各種の硬質の合成樹脂材等により棒状に形成されたものを連結具３１により架設したものであるが、固定部材３は例えば実開平７−２８０８６号公報に記載されているように両側壁に形成された差込溝に架設する手段や特開２００１−１２２３７０号公報に記載されているように頂壁に形成した延片を折り曲げて一体に形成したものなど従来ハンガー用の搬送箱に用いられてる周知の手段を用いることができる。
【００３２】
図４および図５は本発明の異なる実施の形態を示すものであり、搬送箱１が内部に形成した空間部５に照明器具２を吊設させた状態で収容可能な方形であり、材料などについても前記図１に示した実施の形態とほぼ同様であるが、搬送箱１は例えば前方の側壁１２ｂが開閉可能であり、その側壁１２ｂを挟む左右の両側壁１２ｃ，１２ｄｂの内面に互いに対向する高さ位置に差込棚７１，７１が配置されており、これらの差込棚７１，７１に掛け渡した状態で挿脱可能に差し込まれる板状の固定部材３を有しており、この固定部材３は、ほぼ中央に照明器具２の上端に配置されている被接続部２１を接続するための矩形孔状の嵌挿孔４１ａが形成されている。
【００３３】
本実施の形態を使用するには、板状の固定部材３に形成された嵌挿孔４１ａに天井から取り外した照明器具２の被接続部２１を下面側から挿通後、回転させて被接続部２１を固定部材の頂面４１ｂに配置して照明器具２を吊り下げ、そのままの状態で搬送箱１における前方の側壁１２ｂを開放して形成した開口部１４から差込棚７１，７１に差し込んで搬送箱１の空間部５に収容して、側壁１２ｂを閉じればよい。
【００３４】
本実施の形態も前記図１に示した実施の形態と同様に、照明器具２を取り付けてあった状態のままで容易且つ安全に搬送することができることに変わりなく、特に、板状の固定部材３を差込棚７１，７１に差し込む構成としたので、例えば異なる高さ位置に差込棚７１，７１の複数組を配置しておくことにより、搬送する照明器具２の長さに合わせた箇所を選択することによりコードを巻回するなどの調節も不要であり、また、搬送箱１の高さを高く設計した場合には１つの搬送箱１に複数の照明器具２を収容することも可能であり（図６参照）、きわめて効率が良い。
【００３５】
尚、本実施の形態では照明器具を固定部材３に吊設する手段として被接続部２１を嵌挿孔４１ａを挿通、回転させる構成としたが、必要であれば粘着テープなどを用いて被接続部２１を固定部材３の頂面４１ｂに固定してもよい。
【００３６】
図７は本発明のさらに異なる実施の形態を示すものであり、搬送箱１の頂壁１１ａ，１１ｂが開閉可能であり、頂壁１１ａ，１１ｂを開放して形成した開口部１４に前記図４および５に示した実施の形態と同様な板状の固定部材３に照明器具２を吊設した状態で差込み、搬送箱１の少なくとも互いに対向する側壁１２ｃ，１２ｄ内面の所定の同一高さ位置に形成した係止突条７２，７２に係止するものであり、搬送箱１の頂面から照明器具２を挿脱可能であり、引越などのように床面に荷物や搬送箱が並設していて横方向にスペースがない場合にも容易に作業が行える。
【００３７】
さらにまた、図８は本発明における別の実施の形態を示すものであり、前記固定部３が前記搬送箱１の蓋体を兼ねる頂壁１１である点が異なる。本実施の形態では通常の搬送箱をそのまま利用することができるので特に、安価に提供することができる。
【００３８】
特に、本実施の形態では照明器具２を固定する固定部材３を天井に備えられている照明器具２の接続具（図示せず）と同様の係止構造を有する接続具９を蓋体を兼ねる頂壁１１の底面に設置したものであり、図に示すような吊り下げ機構を有していない天井に直接取り付けるシーリング型の照明器具２も天井から外してそのまま再取付することによりきわめて容易に搬送し、再取付ができる。
【００３９】
尚、本実施の形態が前記吊下げ型の照明器具２についても同様に実施することができることは言うまでもなく、さらに、前記各実施の形態についても固定部材３として本実施例のような天井に備えられている照明器具２の接続具（図示せず）と同様の係止構造を有する接続具を固定部材３として用いることができることは勿論であり、この場合には脱着が容易で且つ接続も確実である。
【００４０】
また、前記各実施の形態については図３の場合を除き緩衝部材６３を示していないが、搬送箱１自体が優れた緩衝性を有する場合は除き、必要に応じて搬送箱１の内面に緩衝部材を配置する。また、緩衝部材は図３に示した突起状のものでなくてもよく、また、各壁面に直接配置しなくてもよく、従来のように空気袋や固形のクッション材を隙間に挟持させるものであってもよい。
【図面の簡単な説明】
【００４１】
【図１】本発明の好ましい実施の形態を示すものであり、（Ａ）は斜視図、（Ｂ）は使用状態を示す斜視図。
【図２】図１に示した実施の形態における照明器具を固定する手順を示す説明図。
【図３】図１に示した実施の形態における使用状態を示す拡大縦断面図。
【図４】本発明の異なる実施の形態を示す斜視図。
【図５】図４に示した実施の形態における使用状態を示す斜視図。
【図６】図４および図５に示した実施の形態の異なる例を示す斜視図。
【図７】本発明のさらに異なる実施の形態を示す斜視図。
【図８】本発明の別の実施の形態を示す斜視図。
【符号の説明】
【００４２】
１  搬送箱、２  照明器具、３  固定部材、５  空間部、４  接続部、１１，１１ａ，１１ｂ  頂壁、１２ａ，１２ｂ，１２ｃ，１２ｄ  側壁、１４  開口部、２１  被接続具、６３  緩衝部材
【図１】
2008265841.tif 000003
【図２】
2008265841.tif 000004
【図３】
2008265841.tif 000005
【図４】
2008265841.tif 000006
【図５】
2008265841.tif 000007
【図６】
2008265841.tif 000008
【図７】
2008265841.tif 000009
【図８】
2008265841.tif 000010